(57)【要約】  直方体状のホルダー（１、１ａ、１ｂ、１ｃ、１ｄ）の一の面に設けられ、一の面との境界線の形状が矩形状である凹部（２、２ａ、２ｂ）と、一の面から見た場合に、対になって境界線の対向する長辺の一部と接するか、あるいは対向する長辺の一部の略等しい長さ部分で交叉する、複数の構造体（３、３ａ、３ｂ、３ｃ）と、を有する光透過性または金属製のホルダー（１、１ａ、１ｂ、１ｃ、１ｄ）、表面処理膜（１０）がコーティングされていることにより、曲面が形成された複数の光学部品（４、４ａ）、を備え、構造体（３、３ａ、３ｂ、３ｃ）と光学部品（４、４ａ）とがそれぞれ対になって、重なって配置されることにより、光学部品（４、４ａ）の曲面がホルダー（１、１ａ、１ｂ、１ｃ、１ｄ）と接するとともに、接した端部のうち、一平面を形成する少なくとも３つの端部で、ホルダー（１、１ａ、１ｂ、１ｃ、１ｄ）に接合されている。
2020075265.tif 000002
【特許請求の範囲】
【請求項１】
直方体状の光合分波器本体の一の面に設けられ、当該一の面との境界線の形状が矩形状である凹部と、当該一の面から見た場合に、対になって前記境界線の対向する長辺の一部と接するか、あるいは前記対向する長辺の一部の略等しい長さ部分で交叉する、複数の構造体と、を有する光透過性または金属製のホルダー、
表面処理膜がコーティングされていることにより、曲面が形成された複数の光学部品、を備え、
前記構造体と前記光学部品とがそれぞれ対になって、重なって配置されることにより、前記光学部品の曲面が前記ホルダーと接するとともに、接した箇所であるホルダーの端部のうち、一平面を形成する３端部で、前記ホルダーに接合されていることを特徴とする光合分波器。
【請求項２】
前記構造体は、前記一の面から見て前記凹部の外側から当該凹部の境界線の対向する２つの長辺の一部に対で接するように、所定の間隔で互いに離れた位置に複数組配置されていることを特徴とする請求項１に記載の光合分波器。
【請求項３】
前記構造体は、円柱状構造体または各円筒状構造体であって、前記円柱状構造体または円筒状構造体の内周輪郭線上で前記光学部品に接していることを特徴とする請求項１に記載の光合分波器。
【請求項４】
前記凹部は穴または溝によって構成され、前記構造体には前記光合分波器本体の一の面側に溝が設けられていることを特徴とする請求項２に記載の光合分波器。
【請求項５】
前記凹部および前記構造体は、いずれも穴によって構成されていることを特徴とする請求項２に記載の光合分波器。
【請求項６】
前記凹部は穴または溝によって構成され、前記構造体は光透過性または金属製の材料で構成され、穴または溝が前記光合分波器本体の一の面側に設けられていることを特徴とする請求項２に記載の光合分波器。
【請求項７】
前記ホルダーは、光透過性の材料からなる凹部と、穴が設けられているか、または前記光合分波器本体の一の面側に溝が形成された光透過性あるいは金属製の材料からなる構造体とで構成される一体型構造体を有することを特徴とする請求項２に記載の光合分波器。
【請求項８】
前記光学部品は、前記曲面の外周部の４隅同士をそれぞれ繋ぐ領域が、当該領域以外の部分より比重の大きな材料で構成されていることを特徴とする請求項２に記載の光合分波器。
【請求項９】
前記光学部品の曲面は、凸面あるいは凹面であることを特徴とする請求項１から８のいずれか１項に記載の光合分波器。
【発明の詳細な説明】
【技術分野】
【０００１】
本願は、光合分波器に関するものである。
【背景技術】
【０００２】
従来の光合分波器に用いられるフィルターなどの光学部品においては、光の減衰を抑制することを目的として、光の通過孔として角孔を設けており、内部は空洞の構成にしている。しかし、この構成においては、光学部品の幾何学的調整としての傾き発生の抑制は意図しておらず、また、穴、あるいは溝の形状については限定していない(例えば、特許文献１、２参照)。
また、光合分波器に対して光学部品を接合する際、傾きが生じると複数の光が１つに結合できなくなるという課題があった。
【先行技術文献】
【特許文献】
【０００３】
【特許文献１】特開２００７−１６３６３１号公報
【特許文献２】国際公開第２０１７／０３３２３０号
【発明の概要】
【発明が解決しようとする課題】
【０００４】
従来の光合分波器では、上記のように構成されており、自由空間側への通過孔を有していることが述べられている。しかしながら、この通過孔は角孔であるため、フィルターなどの光学部品の傾きの発生の抑制に対しては効果がなく、特に、光学部品の光合分波器本体との接合面の形状が平面ではなく曲面である場合には、ガラスホルダーなどが用いられる光合分波器本体に対する光学部品の傾きが低減できないという問題点があった。【０００５】
本願は、上記のような課題を解消するための技術を開示するものであり、被接合部品である光学部品を光合分波器本体へ接合する際に、光合分波器本体に対する複数の光学部品の傾き角の違いの発生を抑制することを目的とする。
【課題を解決するための手段】
【０００６】
本願に開示される光合分波器は、
直方体状の光合分波器本体の一の面に設けられ、当該一の面との境界線の形状が矩形状である凹部と、当該一の面から見た場合に、対になって前記境界線の対向する長辺の一部と接するか、あるいは前記対向する長辺の一部の略等しい長さ部分で交叉する、複数の構造体と、を有する光透過性または金属製のホルダー、
表面処理膜がコーティングされていることにより、曲面が形成された複数の光学部品、
を備え、
前記構造体と前記光学部品とがそれぞれ対になって、重なって配置されることにより、前記光学部品の曲面が前記ホルダーと接するとともに、接した箇所であるホルダーの端部のうち、一平面を形成する３端部で、前記ホルダーに接合されていることを特徴とするものである。
【発明の効果】
【０００７】
本願に開示される光合分波器によれば、被接合部品である光学部品を光合分波器本体へ接合する際に、光合分波器本体に対する複数の光学部品の傾き角の違いの発生を抑制することができる。
【図面の簡単な説明】
【０００８】
【図１】実施の形態１に係る光合分波器の一例を説明するための図である。
【図２】実施の形態２に係る光合分波器の光合分波器本体の一例を説明するための図である。
【図３】実施の形態３に係る光合分波器の一例を説明するための図である。
【図４】実施の形態４に係る光合分波器の光合分波器本体の一例を説明するための図である。
【図５】実施の形態５に係る光合分波器の光合分波器本体の一例を説明するための図である。
【図６】実施の形態１から５に係る光合分波器の他の例を説明するための図である。
【図７】実施の形態６に係る光合分波器の一例を説明するための図である。
【発明を実施するための形態】
【０００９】
実施の形態１．
実施の形態１に係る光合分波器について、以下、図を用いて説明する。
図１は、本実施の形態１に係る光合分波器の一例を説明するための図である。この図において、図１（ａ）は、光合分波器本体である光透過性(例えばガラス製)のホルダー１の平面図である。ホルダー１の内部には、直方体状の光合分波器の表面との境界線が矩形状となっている凹部２と、当該表面から見て、この凹部２の外側から当該凹部２の境界線に接するように、前記凹部２の長手方向に互いに離間させて、対向して配置された一対の構造体３（ホルダー表面から見て貫通した穴または溝を持つ）が設けられている。図１（ｂ）は、このホルダー１の面上に光学部品であるフィルター４を設置した場合の平面図である。具体的には、ホルダー１の表面には、このホルダー１の長手方向である図のｘ方向に沿って、３個の矩形状のフィルター４（以下、フィルターは光学部品とも呼ぶ）が、予め与えられたピッチ間隔で、互いに平行に配置されている。図１（ｃ）は、図１（ｂ）のＡＡ断面を示す断面図である。図１（ｂ）あるいは図１（ｃ）に示したように、本実施の形態１に係る光合分波器は主として、ホルダー１と、複数個の光学部品であるフィルター４とで構成されている。なお、光透過性のホルダーの材質は、上述のようなガラス製のものに限らず、プラスチック材でも良い（以下同様）。
【００１０】
通常、フィルター４がホルダー１と接する側の面（図では、フィルター４の下側面）の全体に、光学的な反射膜としての表面処理膜１０が形成されているため、この図に示すように、フィルター４の形状は、ホルダー１の表面に対して厚さ方向であるｚ方向（上側）に反った曲面となっている。すなわち、ホルダー１の表面に対して、フィルター４の表面は、表面処理膜１０の形成によりｚ方向に下に凸となる凸面を有する曲面となっていることが特徴である。
【００１１】
本実施の形態の光合分波器では、上述のような特徴を持つフィルター４を、ホルダー１の表面に、接着剤などを用いて接着させて組立てられるので、接着面が丸みを帯びた、すなわち、接着面が下に凸の曲面を有する光学部品であるフィルター４が、凹部２が設けられている光合分波器本体である光透過性のホルダー１に接合されていると言える。
【００１２】
光学部品であるフィルター４の表面が、上記のような、厚さ方向に反った曲面を有し、このフィルター４のホルダー１との接合面が上述のように曲面である場合には、図１（ｃ）から類推可能なように、ホルダーの長手方向と短手方向のどちらの側面から見ても、フィルター４はホルダー１の端部Ｐ、Ｑ、Ｒ、Ｓ（図１（ｂ）、図１（ｃ）中の破線の丸で囲んだ部分参照）のうち、２箇所で接して支持され、接合されている。これらの端部は、前記ホルダー１の表面側から見た場合に、前記ホルダー１の表面と前記凹部２との境界線である凹部２の輪郭線のうち、長手部分を構成する、対向する２つの長手方向輪郭線の一部とそれぞれ別々に、前記境界線の外側から接する一対の構造体３と、前記長手方向輪郭線の一部との共通部分となる直線（例えば、図１（ａ）中の符号Ｌで示した破線部分を参照）の両端部分である。
従って、フィルター４がホルダー１の端部Ｐ、Ｑ、Ｒ、Ｓのうち、ホルダーの長手方向と短手方向のどちらの側面から見ても、２箇所で接するとともに、その接する箇所で接合されるようにするためには、この異なる４箇所（４つの端部）のうち、少なくとも一平面を決定する異なる３箇所（３つの端部、例えば、Ｐ、Ｑ、Ｒ）で接合されていれば良いことが判る。
【００１３】
上記のとおり、フィルター４はホルダー１の３個以上の複数の端部で支えられていることになるため、ホルダー１に凹部のみしか設けられておらず、そのため、端部が形成されていない従来の場合に比較して、フィルター４をホルダー１に接合した後の、ホルダー１に対する複数（図１の場合は３個）のフィルター４の間の傾き角の違いの発生を抑制することができる。言い換えると、ホルダー１に上述のような端部が形成されていない場合には、端部が形成されている場合に比較して、フィルター４の表面処理膜１０が形成されている側の表面とホルダー１との接触点が定まらないため、複数の各フィルター４とホルダー１を接合した場合に、基準面となるホルダー表面に対する、各フィルター間の接合後の傾き角に違いが発生し易くなる。
【００１４】
ここで、上記における傾き角とは、ホルダー表面とフィルター表面とのなす角のことをいう。具体的には、図１（ｂ）において、例えば、符号Ｐ、Ｑ、Ｒで示した破線の円の中心で決定される平面を定義ホルダー表面として、この定義ホルダー表面の法線と、フィルター４の形状中心線が表面処理膜１０の形成されている側の表面と交わる点で接する接平面の法線とがなす角のことである。
【００１５】
なお、実際には、上記フィルターの特定した点に光を入射させて、反射膜で反射させた反射光を用いることにより、上記複数のフィルター間の傾き角の違いの発生の有無を確認できる。また、図１の例では、設置された３個のフィルターのうち、１個のフィルターの基準面に対する傾き角が他の２個の傾き角と違っていると、これら３個のフィルターを通過した複数の光が１つに結合できなくなるため、３個のフィルターの傾き角が許容範囲で同一になるよう容易に調整できる。ここで、凹部２に貫通穴が形成されている場合には、ホルダーの材質は、アルミ、あるいはステンレスなどの金属であっても良い。
【００１６】
実施の形態２．
実施の形態２に係る光合分波器について、以下、図を用いて説明する。
図２は、本実施の形態２に係る光合分波器の一例を説明するための図である。実施の形態１では、光合分波器本体であるホルダーに、いずれも貫通した穴または溝で構成される凹部２と一対の構造体３が設けられている場合について説明したが、凹部２と一対の構造体３とに、いずれも溝が設けられており、凹部に設けられた溝の深さと、一対の構造体の溝の深さが異なるように設定した凹部２ａと一対の構造体３ａとを用いたものであってもよい。ただし、この場合には、ホルダーの凹部２ａは光透過性の材料で構成される。
【００１７】
具体的には、図２に示すように、ホルダー１ａの凹部２ａには、溝が形成された長穴部９ａが形成されており、一対の構造体３ａには表面から見て全体に溝が形成されている（図中のＨ１、Ｈ２で示す破線で囲んだ部分を参照）。この場合、一対の構造体３ａには、同形状の溝が形成されている。そして、上記の長穴部９ａの溝と一対の構造体３ａの溝の深さサイズは互いに異なる。
なお、図２の凹部２ａを溝で構成し、一対の構造体３ａは、全体を貫通した穴で構成してもよい。
【００１８】
実施の形態１と同じく、フィルターのホルダー１ａとの接合面が、図１に示したような下に凸の形状の曲面である場合、ホルダーの長手方向と短手方向のどちらの側面から見ても、実施の形態１と同じく、フィルターはホルダーの端部で接し、支持されていることになる。
【００１９】
実施の形態１の場合と同様、上述のように、フィルターはホルダーの端部で接して接合されているため、接合後のホルダーに対する複数のフィルター間の傾き角の違いの発生を抑制することができる。また、一対の構造体３ａの構成をすべて貫通穴とせず、少なくとも一部を溝にした場合には、加工に伴うホルダーの作製コストを下げることができる。
【００２０】
実施の形態３．
実施の形態３に係る光合分波器について、以下、図を用いて説明する。
図３は、本実施の形態３に係る光合分波器の一例を説明するための図である。本実施の形態３では一対の構造体３ｂが採用されている。この一対の構造体３ｂは、図３（ａ）に示したように、各構造体において、ホルダー表面側から見てＵ字型となる光透過性の材料または金属に、溝（図中の記号Ｈ３、Ｈ４で示す一点鎖線で囲んだ部分を参照）または（図示しない）穴を形成してできた、複数の一対の構造体３ｂと、ホルダー１ｂの凹部２として採用した貫通した長穴部９とで構成されている。なお、図３（ｂ）は、図３（ａ）のＢＢ断面を示した断面図である。
【００２１】
本実施の形態３に係る光合分波器では、この一対の構造体３ｂをホルダー１ｂに複数個（この図では一対の構造体として３セット）接合し、その上に、実施の形態１と同様、ホルダー１ｂとの接着面が、図３（ｂ）に示すように、厚さ方向に下に凸の形状の曲面を持つ光学部品であるフィルター４（図３（ａ）、図３（ｂ）の破線の枠で囲まれた部分を参照）を、接着剤などを用いて接合する。
【００２２】
なお、本実施の形態３における長穴部は、貫通穴ではなく、溝であってもよい。また、一対の構造体３ｂに溝が形成されている場合に、この溝の溝深さと長手方向格子に採用されている溝の溝深さとはサイズが違っていてもよい。
【００２３】
この実施の形態においても、光学部品であるフィルター４が、上記のように、ホルダー１ｂとの接合面が下に凸の形状の曲面を持つ場合、長手方向と短手方向どちらの側面から見ても、フィルターは、溝などを形成した一対の構造体３ｂの端部でホルダーに接することになる（図３（ｂ）の端部Ｔ、端部Ｕ（破線の丸印で示した部分）参照）。
【００２４】
上記のとおり、フィルターは、溝などを形成した一対の構造体３ｂの端部で接し、支持されているため、フィルターを、その端点でホルダーに接合した後においては、ホルダーに対する複数のフィルターの間の、傾き角の違いの発生を抑制することができる。
また、溝などを形成した一対の構造体３ｂを一体化せず個片化していることで、フィルター間の配置間隔である、隣接するフィルターの長手方向の形状中心線間の距離で代表されるフィルター間ピッチが異なる用途の場合にも、同一形状の一対の構造体３ｂを共通して使用することが可能である。
【００２５】
実施の形態４．
実施の形態４に係る光合分波器について、以下、図を用いて説明する。
図４は、本実施の形態４に係る光合分波器の一例を説明するための図である。実施の形態３では、光透過性または金属の構造体である一対の構造体３ｂが個片化されたものを示したが、図４に示すように、一対の構造体３ｃに加え、凹部２ｂにも光透過性材料または金属の構造体を採用して一体化した一体型構造体５としてもよい。なお、この図に示したように、一対の構造体３ｃには溝が形成され、凹部２ｂには貫通した長穴部９が形成されている。ただし、この長穴部は溝で形成されていてもよい。
【００２６】
図４に示すように、光学部品であるフィルターが、ホルダー１ｃとの接合面が下に凸となる曲面を持つ場合、長手方向と短手方向どちらの側面から見ても、実施の形態３と同様に、フィルターは、溝を形成した一対の構造体３ｃの複数の端部で接触し支持されていることになる。
【００２７】
上記のとおり、フィルターは溝を形成した一対の構造体３ｃの複数の端部で接し接合されることになるため、フィルターをホルダーに接合した後の、ホルダーに対する複数のフィルターの傾き角の間に、相互に違いが発生することを抑制することができる。また、溝を形成した一対の構造体３ｃを凹部２ｂと組み合わせて一体化したことで、個片化した場合よりも一対の構造体３ｃのホルダーへの接合回数が減り、接合後の設定位置の精度を向上させることに繋がる。
【００２８】
実施の形態５．
実施の形態５に係る光合分波器について、以下、図を用いて説明する。
図５は、本実施の形態５に係る光合分波器の一例を説明するための図である。
実施の形態３では、穴または溝を形成することによりホルダー表面から見てＵ字型となる一対の構造体３ｂが複数個備わったものを示したが、これに代えて、図５に示すように、光透過性の材料または金属製の円柱状体に円形状の穴７を形成した円筒状構造体６、または溝を形成した円柱状構造体８（図示せず）を用いてもよい。また、ホルダー１ｄの長穴部９ｂは、貫通穴でも、溝でもよく、また、無くてもよい。
【００２９】
光学部品であるフィルターが反った輪郭線を持ち、ホルダー１ｄとの接合面が図１に示したのと同様、下に凸の形状の曲面を持つ場合においては、当該接合した箇所でフィルターをホルダー１ｄに接着した場合、ホルダー１ｄの長手方向、および短手方向のいずれの側面から見ても、フィルターは、図５に示したような円形状の穴７を形成した円筒状構造体６、または溝を形成した円柱状構造体８（図示せず）の表面側の円筒内側境界である円形状の輪郭線上で接し、支持されることになる。なお、本実施の形態において、上記の円筒状構造体６、または溝を形成した円柱状構造体８の個数はフィルターと同数で構成されている。
【００３０】
上記のとおり、フィルターは円筒状構造体６の円筒内側境界である円形状の輪郭線上で接し、この箇所で接合されるため、フィルターをホルダー１ｄに接合した後の、ホルダーに対する複数のフィルター間の傾き角の違いの発生を抑制することができる。また、円筒状構造体６を採用したことにより、フィルターをホルダー１ｄに接合する際、例えば、必ずしもｘ方向に直交させてフィルターを設置する必要はなく（直交でなく多少角度を付けた設置も可能である）、位置の調整が容易となる。
【００３１】
なお、以上説明した実施の形態１〜５の光合分波器では、いずれの実施の形態においても、各構造体の上面は、ホルダーの表面から突出しておらず、ホルダー表面と同一高さ以下に設定されている。また、実施の形態３〜５における金属としては、例えば、アルミ、ステンレスなどが挙げられる。
【００３２】
また、以上の実施の形態１〜５のいずれにおいても、フィルターは、その材質が全体として一様のものを前提として説明をしたが、これに限らず、図６に示すように、ホルダーとの接点の外側領域に、内側領域と比較して、光学特性としての違いは無視できるが比重の大きい部分である、フィルターの対向する曲面の４隅同士を繋いだ４隅部２０を有する構造のフィルター４ａを用いることにより、上述のフィルターの傾きが発生した場合でも、外側領域部分の自重効果によって、その傾き角を低減させることが可能となるため、結果的に、複数のフィルターの間に、相互に傾き角の違いが発生することを、より効果的に抑制することができる。
【００３３】
実施の形態６．
実施の形態６に係る光合分波器について、以下、図を用いて説明する。
図７は、本実施の形態６に係る光合分波器の一例を説明するための図である。この実施の形態では上述のいずれの実施の形態とも異なり、厚さ方向に反ってはいるが、ホルダーとの接着面とその反対側の表面が、曲面が凹面（図７で上に凸の形状を有する曲率を持つ曲面）である光学部品であるフィルター４ｂをホルダー１ｅに接合する。図７に示すとおり、フィルター４ｂの詳細構造は、図１のフィルター４とは異なり、上面側表面、下面側表面の双方とも、表面処理膜がコーティングされている。ただし、上面側表面の表面処理膜１１には光学的反射機能はなく、下面側表面の表面処理膜１２のみが光学的反射膜となっている。なお、ホルダー１ｅには、長穴部はあってもなくてもよい。
【００３４】
光学部品であるフィルターが反った面を有する場合で、その面がホルダー１ｅとの接合面がｚ方向に凸の形状を有する曲面である場合（図７参照）、実施の形態１〜５の場合と同様、フィルター４ｂがホルダー１ｅと複数箇所で接することになる（図７の角部Ｖ、角部Ｗを参照）。
【００３５】
上記のとおり、本実施の形態においては、ホルダーに対してフィルターがその角部で接していることになるため、フィルターをホルダーに接合した後の、ホルダーに対する複数個のフィルターの傾き角の間に違いが発生することを抑制することができる。
【００３６】
なお、本願は、様々な例示的な実施の形態及び実施例が記載されているが、１つ、または複数の実施の形態に記載された様々な特徴、態様、及び機能は特定の実施の形態の適用に限られるのではなく、単独で、または様々な組み合わせで実施の形態に適用可能である。従って、例示されていない無数の変形例が、本願明細書に開示される技術の範囲内において想定される。例えば、少なくとも１つの構成要素を変形する場合、追加する場合または省略する場合、さらには、少なくとも１つの構成要素を抽出し、他の実施の形態の構成要素と組み合わせる場合が含まれるものとする。具体的には、以上においては、フィルターの対向する２面が双方とも曲面を形成している場合について説明したが、これに限らず、ホルダーと接する側の１面のみに曲面が形成されているフィルターであっても、同様の効果を奏する。また、フィルターの個数は３個の場合を例にして説明したが、これに限らず、３個以外の複数個であっても同様の効果を奏する。
【符号の説明】
【００３７】
１、１ａ、１ｂ、１ｃ、１ｄ、１ｅ  ホルダー、２、２ａ、２ｂ  凹部、３、３ａ、３ｂ、３ｃ  一対の構造体、４、４ａ、４ｂ  フィルター（光学部品）、５  一体型構造体、６  円筒状構造体、７  円形状の穴、８  円柱状構造体、９、９ａ、９ｂ  長穴部、１０、１１、１２  表面処理膜、２０  ４隅部、Ｐ、Ｑ、Ｒ、Ｓ、Ｔ、Ｕ  端部、Ｖ、Ｗ  角部
【図１】
2020075265.tif 000003
【図２】
2020075265.tif 000004
【図３】
2020075265.tif 000005
【図４】
2020075265.tif 000006
【図５】
2020075265.tif 000007
【図６】
2020075265.tif 000008
【図７】
2020075265.tif 000009
【手続補正書】
【提出日】令和2年12月17日(2020.12.17)
【手続補正１】
【補正対象書類名】明細書
【補正対象項目名】０００９
【補正方法】変更
【補正の内容】
【０００９】
実施の形態１．
実施の形態１に係る光合分波器について、以下、図を用いて説明する。
図１は、本実施の形態１に係る光合分波器の一例を説明するための図である。この図において、図１（ａ）は、光合分波器本体である光透過性(例えばガラス製)のホルダー１の平面図である。ホルダー１の内部には、直方体状の光合分波器本体の表面との境界線が矩形状となっている凹部２と、当該表面から見て、この凹部２の外側から当該凹部２の境界線に接するように、前記凹部２の長手方向に互いに離間させて、対向して配置された一対の構造体３（ホルダー表面から見て貫通した穴または溝を持つ）が設けられている。図１（ｂ）は、このホルダー１の面上に光学部品であるフィルター４を設置した場合の平面図である。具体的には、ホルダー１の表面には、このホルダー１の長手方向である図のｘ方向に沿って、３個の矩形状のフィルター４（以下、フィルターは光学部品とも呼ぶ）が、予め与えられたピッチ間隔で、互いに平行に配置されている。図１（ｃ）は、図１（ｂ）のＡＡ断面を示す断面図である。図１（ｂ）あるいは図１（ｃ）に示したように、本実施の形態１に係る光合分波器は主として、ホルダー１と、複数個の光学部品であるフィルター４とで構成されている。なお、光透過性のホルダーの材質は、上述のようなガラス製のものに限らず、プラスチック材でも良い（以下同様）。
【国際調査報告】
2020075265.tif 000010
2020075265.tif 000011